【手続補正書】
【提出日】平成19年5月11日(2007.5.11)
【手続補正１】
【補正対象書類名】明細書
【補正対象項目名】特許請求の範囲
【補正方法】変更
【補正の内容】
【特許請求の範囲】
【請求項１】  ディスクから情報を読み出し、または情報の書き込みを行う光ピックアップと、
前記光ピックアップに接続される電気回路と、
前記電気回路内に設けられ、再生または記録が行われるディスクの記録層毎に前記電気回路の特性が調整される調整部分と、
前記ディスクの第１の記録層に対する前記調整部分の調整結果に基づいて、前記ディスクの第２の記録層に対する前記調整部分の調整を行わせる調整制御手段とを備えることを特徴とするディスク装置。
【請求項２】  周囲温度を検出する温度検出手段をさらに備え、
前記調整制御手段は、前記調整結果、及び前記温度検出手段の検出結果に基づいて、前記第２の記録層に対する前記調整部分の調整を行うことを特徴とする請求項１に記載のディスク装置。
【請求項３】  前記調整制御手段は、前記第２の記録層に対する前記調整部分の調整が完了しない場合、前記第１の記録層に対する前記調整部分の調整開始初期値に基づいて、前記第２の記録層に対する調整部分の調整を行うことを特徴とする請求項１または２に記載のディスク装置。
【請求項４】  前記調整部分は、複数の調整部分を備え、
前記調整制御手段は、前記複数の調整部分のうち、前記特性が前記記録層に依存しない調整部分の特性を前記調整結果とすることを特徴とする請求項１〜３のいずれか１つに記載のディスク装置。
【請求項５】  各記録層には、記録層を識別するための情報が記録されており、
前記調整部分の特性の調整が完了した記録層の前記情報を記憶する記憶手段をさらに備え、
前記調整制御手段は、ディスクから読み出された前記情報と前記記憶手段に記憶された情報とに基づいて、
前記調整部分の調整が行われていない記録層に対する前記調整部分の調整を行うことを特徴とする請求項１〜４のいずれか１つに記載のディスク装置。
【請求項６】  ディスクから情報を読み出し、または情報の書き込みを行う光ピックアップに接続される電気回路の特性を、再生又は記録が行われるディスクの記録層毎に調整する調整部分に調整指示を出力する調整制御装置であって、
前記調整部分に、前記ディスクの第１の記録層に対する前記調整部分の調整結果に基づく、前記ディスクの第２の記録層に対する特性の調整指示を出力することを特徴とする調整制御装置。
【手続補正２】
【補正対象書類名】明細書
【補正対象項目名】０００５
【補正方法】変更
【補正の内容】
【０００５】
【課題を解決するための手段】
本発明は、ディスクから情報を読み出し、または情報の書き込みを行う光ピックアップと、
前記光ピックアップに接続される電気回路と、
前記電気回路内に設けられ、再生または記録が行われるディスクの記録層毎に前記電気回路の特性が調整される調整部分と、
前記ディスクの第１の記録層に対する前記調整部分の調整結果に基づいて、前記ディスクの第２の記録層に対する前記調整部分の調整を行わせる調整制御手段とを備えることを特徴とするディスク装置である。
【手続補正３】
【補正対象書類名】明細書
【補正対象項目名】０００６
【補正方法】変更
【補正の内容】
【０００６】
本発明に従えば、ＤＶＤの多層ディスクなどのようなディスクの各記録層を、それぞれ再生または記録するために光ピックアップが設けられ、さらに光ピックアップに接続される電気回路が設けられる。この電気回路は、光ピックアップからの出力に応答してフォーカス、トラッキングなどの動作を行い、また光ピックアップからの出力を復号化してデータ処理する構成であってもよく、これらの光ピックアップには、１または複数の調整部分が存在し、また電気回路にも１または複数の調整部分が存在し、またはこれらの光ピックアップと電気回路とのいずれか一方に１または複数の調整部分が存在してもよい。調整制御手段は、第１の、すなわち或る１つの記録層に対する調整部分を調整することによって、その調整結果を得る。その後、第２の、すなわち他の記録層の再生または記録のために、前記調整結果に基づいて、前記他の記録層に対する、同一の調整部分の調整を行う。したがって前記他の記録層の再生または記録のために、各記録層に共通の初期値から調整を開始する動作に比べて、本発明に従って前記調整結果に基づいて調整を開始する方が、前記他の記録層の再生または記録の開始までの起動時間を短くすることができるようになる。
【手続補正４】
【補正対象書類名】明細書
【補正対象項目名】０００７
【補正方法】変更
【補正の内容】
【０００７】
また本発明のディスク装置は、周囲温度を検出する温度検出手段をさらに備え、
前記調整制御手段は、前記調整結果、及び前記温度検出手段の検出結果に基づいて、前記第２の記録層に対する前記調整部分の調整を行うことを特徴とする。
【手続補正５】
【補正対象書類名】明細書
【補正対象項目名】０００８
【補正方法】変更
【補正の内容】
【０００８】
本発明に従えば、第２の、すなわち他の記録層に対する調整部分の調整は、各調整部分毎に、第１の、すなわち或る１つの記録層に対する調整部分の調整結果と、前記温度検出手段の検出結果とに基づいて行われる。こうして本件ディスク装置の周囲温度に依存して、前記他の記録層に対する調整部分の調整を行うことによって、前記他の記録層の再生または記録のための調整を、もっと短時間に達成することができるようになる。
【手続補正６】
【補正対象書類名】明細書
【補正対象項目名】０００９
【補正方法】変更
【補正の内容】
【０００９】
また本発明のディスク装置は、前記調整制御手段は、前記第２の記録層に対する前記調整部分の調整が完了しない場合、前記第１の記録層に対する前記調整部分の調整開始初期値に基づいて、前記第２の記録層に対する調整部分の調整を行うことを特徴とする。
【手続補正７】
【補正対象書類名】明細書
【補正対象項目名】００１０
【補正方法】変更
【補正の内容】
【００１０】
本発明に従えば、前記第２の、すなわち他の記録層に対する調整部分の調整を、前記第１の、すなわち或る記録層に対する調整部分の調整結果に基づいて行い、その結果、この調整が完了しなければ、前記或る記録層に対する調整部分の調整開始初期値に基づいて、前記他の記録層に対する調整部分の調整を行う。こうして前記他の記録層に対する調整部分の調整を、確実に行うことができるようになる。
【手続補正８】
【補正対象書類名】明細書
【補正対象項目名】００１１
【補正方法】変更
【補正の内容】
【００１１】
調整部分の調整が完了しないというのは、たとえばディスクの出力データが、データ処理手段によって正しく読出すことができないとき、フォーカスサーボ系によるフォーカスサーチ動作が、再生移行中に、サーボ外れが生じてしまうとき、または再生に失敗して、繰返しリトライしても調整が完了せず、そのようなリトライ動作が予め定める時間以上長くかかるとき、またはリトライ回数が予め定める値以上になるときなどが挙げられる。再生動作の完了は、ディスクのたとえばリードイン領域におけるＴＯＣ（Table of 
Contents）情報の読取りが実現されたときである。
【手続補正９】
【補正対象書類名】明細書
【補正対象項目名】００１２
【補正方法】変更
【補正の内容】
【００１２】
また本発明のディスク装置は、前記調整部分は、複数の調整部分を備え、
前記調整制御手段は、前記複数の調整部分のうち、前記特性が前記記録層に依存しない調整部分の特性を前記調整結果とすることを特徴とする。
【手続補正１０】
【補正対象書類名】明細書
【補正対象項目名】００１３
【補正方法】変更
【補正の内容】
【００１３】
本発明に従えば、複数の記録層が異なっていても、前記特性が、そのような記録層に影響されない、すなわち依存しないほぼ一定の値である調整部分では、いずれかの記録層に対する調整部分の調整が実行されたのちには、その調整結果を保ち、その後の調整動作を禁止し、残余の調整部分のみを、記録層が異なるたびに、前述と同様に調整する。こうして調整制御手段による無駄な動作が省かれる。
【手続補正１１】
【補正対象書類名】明細書
【補正対象項目名】００１４
【補正方法】変更
【補正の内容】
【００１４】
また本発明のディスク装置は、各記録層には、記録層を識別するための情報が記録されており、
前記調整部分の特性の調整が完了した記録層の前記情報を記憶する記憶手段をさらに備え、
前記調整制御手段は、ディスクから読み出された前記情報と前記記憶手段に記憶された情報とに基づいて、
前記調整部分の調整が行われていない記録層に対する前記調整部分の調整を行うことを特徴とする。
【手続補正１２】
【補正対象書類名】明細書
【補正対象項目名】００１５
【補正方法】変更
【補正の内容】
【００１５】
本発明に従えば、複数の各記録層には記録層を識別するための情報が記録されており、調整済みの記録層の情報は、記憶手段に記憶される。記録層に対する調整部分の調整中に、ディスクから読出した情報が、記憶手段に記憶されている調整済みの記録層を表すときには、その記録層に対する調整部分の調整をさらに行う必要はないので、他の記録層に対する調整部分の調整動作が行われる。ディスクから読出した情報が、記憶手段に記憶されている調整済みの記録層とは異なっていれば、引き続き、その異なっている記録層に対する調整部分の調整を行う。このような各調整動作は、前述のように、第１の、すなわち或る記録層の調整結果に基づいて行われる。これによって複数の記録層の調整のための時間を短縮することができる。
また本発明は、ディスクから情報を読み出し、または情報の書き込みを行う光ピックアップに接続される電気回路の特性を、再生又は記録が行われるディスクの記録層毎に調整する調整部分に調整指示を出力する調整制御装置であって、
前記調整部分に、前記ディスクの第１の記録層に対する前記調整部分の調整結果に基づく、前記ディスクの第２の記録層に対する特性の調整指示を出力することを特徴とする調整制御装置である。
本発明に従えば、調整制御装置は、第１の、すなわち或る１つの記録層に対する調整部分を調整することによって得た調整結果に基づいた、第２の、すなわち他の記録層に対する特性の調整指示を出力する。したがって前記他の記録層の再生または記録のために、各記録層に共通の初期値から調整を開始する動作に比べて、本発明に従って前記調整結果に基づいて、前記他の記録層に対する調整部分の調整を開始することができるので、前記他の記録層の再生または記録の開始までの起動時間を短くすることができるようになる。
【手続補正１３】
【補正対象書類名】明細書
【補正対象項目名】００４９
【補正方法】変更
【補正の内容】
【００４９】
【発明の効果】
請求項１の本発明によれば、複数の記録層を有するディスクの再生または記録に先立つ起動のための時間を、大幅に短縮することができ、これによってユーザの待ち時間を短縮し、ディスク装置の快適な使用が可能になる。すなわち本発明では、第１の記録層に対する調整部分の調整結果に基づいて、次に行う第２の記録層に対する、同一の調整部分の調整を行う。これによって前記第２の記録層のための調整の時間を大幅に短縮することができる。
【手続補正１４】
【補正対象書類名】明細書
【補正対象項目名】００５０
【補正方法】変更
【補正の内容】
【００５０】
請求項２の本発明によれば、第２の、すなわち他の記録層に対する調整部分の調整は、各調整部分毎に、第１の、すなわち或る１つの記録層に対する調整部分の調整結果と、温度検出手段の検出結果とに基づいて行われる。これによって前記他の記録層のための調整の時間をさらに短縮することができるようになる。
【手続補正１５】
【補正対象書類名】明細書
【補正対象項目名】００５１
【補正方法】変更
【補正の内容】
【００５１】
請求項３の本発明によれば、第２の、すなわち他の記録層に対する調整部分の調整を、第１の、すなわち或る記録層に対する調整部分の調整結果に基づいて行おうとしたとき、この調整を完了することができなければ、前記或る記録層に対する調整部分の調整開始初期値に基づいて、前記他の記録層に対する調整部分の調整を行う。これによって調整動作を確実に達成することができるようになる。
【手続補正１６】
【補正対象書類名】明細書
【補正対象項目名】００５２
【補正方法】変更
【補正の内容】
【００５２】
請求項４の本発明によれば、複数の調整部分のうち、その特性が他の記録層に依存しない調整部分は、第１の、すなわち或る記録層に対する調整部分の調整によって得られた調整結果を保ち、その後の調整動作を禁止する。これによって制御動作の簡略化を図り、調整時間の短縮をさらに図ることが可能になる。
【手続補正１７】
【補正対象書類名】明細書
【補正対象項目名】００５３
【補正方法】変更
【補正の内容】
【００５３】
請求項５の本発明によれば、記録層に対する調整部分の調整中に、ディスクから読出した情報が、記憶手段に記憶されている調整済みの記録層を表すときには、他の記録層の調整動作を行い、またディスクから読出した情報が、記憶手段に記憶されている調整済みの記録層とは異なる記録層を表すときには、そのまま引き続き調整動作を続行する。このような各調整動作は、前述のように、第１の、すなわち或る記録層に対する調整部分の調整結果に基づいて行われる。こうして調整済みの記録層に対する調整部分に関して再度、調整動作をすることなく、複数の記録層に対する調整部分の調整動作の時間を短縮することができる。
請求項６の本発明によれば、調整制御装置は、第１の、すなわち或る１つの記録層に対する調整部分を調整することによって得た調整結果に基づいた、第２の、すなわち他の記録層に対する特性の調整指示を出力する。これにより、前記他の記録層のための調整の時間を大幅に短縮することができ、前記他の記録層の再生または記録の開始までの起動時間を短くすることができるようになる。